(57)【要約】【課題】信号識別能力に大きな影響を与えるオフセット補正の精度向上による再生能力の向上と、再生処理の高倍速化を両立できるようにする。【解決手段】情報再生装置１は、光ディスクＤに記録されている情報を読み取って再生信号を出力し、その再生信号についてＡＤ変換前にオフセットを補正するアナログオフセット補正と、ＡＤ変換後にオフセットを補正するデジタルオフセット補正と、デジタルオフセット補正後の補正後再生信号からオフセット制御量を検出するオフセット検出とを行う。また、情報再生装置１は、検出されたオフセット制御量を示すオフセットデータをＡＤ変換の最下位ｂｉｔ単位以上の第１のオフセットデータと、最下位ｂｉｔ単位よりも小さい第２のオフセットデータとに分割して、第１のオフセットデータでデジタルオフセット補正を行い、第２のオフセットデータでアナログオフセット補正を行う。【選択図】図１
2007200516.tif 000002
【特許請求の範囲】
【請求項１】
記録媒体に記録されている情報を読み取り、再生信号を出力する再生信号出力手段と、ＰＲＭＬ方式による信号処理を行うＰＲＭＬ信号処理手段とを備えた情報再生装置であって、
前記再生信号出力手段から出力される前記再生信号についてＡＤ変換前にオフセット補正を行うアナログオフセット補正手段と、
前記再生信号出力手段から出力される前記再生信号をＡＤ変換した後のデジタル再生信号についてオフセット補正を行うデジタルオフセット補正手段と、
該デジタルオフセット補正手段により補正された後の補正後再生信号から、該補正後再生信号に含まれているオフセット制御量を検出するオフセット検出手段と、
該オフセット検出手段により検出された前記オフセット制御量を示すオフセットデータを、前記再生信号がＡＤ変換される最下位ｂｉｔ単位以上の第１のオフセットデータと、該最下位ｂｉｔ単位よりも小さい第２のオフセットデータとに分割する分割手段とを有し、
前記デジタルオフセット補正手段が前記分割手段により分割された前記第１のオフセットデータを用いて前記オフセット補正を行え、前記アナログオフセット補正手段が前記第２のオフセットデータを用いて前記オフセット補正を行えるように構成されていることを特徴とする情報再生装置。
【請求項２】
前記オフセット検出手段は、前記ＰＲＭＬ信号処理手段に備えられた前記補正後再生信号を復号化する最尤復号器から出力される信号を用いて算出される理想信号と、前記ＰＲＭＬ信号処理手段に備えられた前記補正後再生信号に対する波形等化を行う適応等化器から出力される等化信号との差を示す等化誤差信号に基づいて、前記オフセット制御量を検出することを特徴とする請求項１記載の情報再生装置。
【請求項３】
前記ＰＲＭＬ信号処理手段に適用されるＰＲ特性に応じて、前記オフセットデータが前記分割手段により分割されるときの分割割合をｂｉｔ単位に変更する変更手段を更に有することを特徴とする請求項１または２記載の情報再生装置。
【請求項４】
前記オフセットデータが前記分割手段により分割されるときの分割割合を浮動少数点化させる浮動化手段を更に有することを特徴とする請求項１または２記載の情報再生装置。
【請求項５】
前記等化誤差信号を選択する等化誤差選択手段を更に有し、
前記オフセット検出手段は、前記等化誤差選択手段により選択された等化誤差信号に基づいて、前記オフセット制御量を検出するように構成されていることを特徴とする請求項２記載の情報再生装置。
【請求項６】
記録媒体に記録されている情報を読み取って再生信号を出力し、ＰＲＭＬ方式による信号処理を行う情報再生方法であって、
前記再生信号についてＡＤ変換前にオフセットを補正するアナログオフセット補正と、前記再生信号をＡＤ変換した後のデジタル再生信号についてオフセットを補正するデジタルオフセット補正と、該デジタルオフセット補正が行われた後の補正後再生信号から、該補正後再生信号に含まれているオフセット制御量を検出するオフセット検出とを行い、
該オフセット検出により検出された前記オフセット制御量を示すオフセットデータを、前記再生信号がＡＤ変換される最下位ｂｉｔ単位以上の第１のオフセットデータと、該最下位ｂｉｔ単位よりも小さい第２のオフセットデータとに分割し、
該分割された前記第１のオフセットデータを用いて前記デジタルオフセット補正を行い、前記第２のオフセットデータを用いて前記アナログオフセット補正を行うことを特徴とする情報再生方法。
【発明の詳細な説明】
【技術分野】
【０００１】
本発明は、ＰＲＭＬ方式による信号処理を行う光ディスク装置、固定磁気ディスク装置等の情報再生装置および情報再生方法に関する。
【背景技術】
【０００２】
従来から、デジタルデータを記録および再生することが可能な記録媒体として、ＤＶＤ（ｄｉｇｉｔａｌ  ｖｅｒｓａｔｉｌｅ  ｄｉｓｋ）に代表される光ディスクや磁気ディスクがある。このうち、光ディスク、例えば、ＤＶＤファミリーの1つであるＤＶＤ−ＲＡＭでは、記録媒体（ディスク）に信号の記録層が備えられていて、この記録層に適切なエネルギーを持つレーザ光が照射されることで記録層の結晶状態が変化し、その記録層に再度適切なエネルギーのレーザ光が照射されると、記録層の結晶状態に応じた量の反射光が得られる。この反射光が検出されることによって、デジタルデータの再生が行われるようになっている。
【０００３】
ところで、近年、光ディスク等の記録媒体に記録されたデジタルデータを再生する情報再生装置や記録媒体にデジタルデータを記録する情報記録装置、さらにはＭＲヘッドを使用した固定磁気ディスク装置においては、高密度の記録再生を実現するため、ＰＲＭＬ（Ｐａｒｔｉａｌ  Ｒｅｓｐｏｎｓｅ  Ｍａｘｉｍｕｍ  Ｌｉｋｅｌｉｈｏｏｄ）と呼ばれる方式の技術（ＰＲＭＬ技術）が採用されている。ＰＲＭＬ技術については、例えば特許文献１等にその技術内容が公開されているが、簡単に内容を説明すると以下のとおりである。
【０００４】
パーシャルレスポンス方式（ＰＲ）は、符号間干渉（隣り合って記録されているピットが光スポットに入り込むことによる再生信号同士の干渉）を積極的に利用して必要な信号帯域を圧縮し、高域成分を要しない再生回路を実現することによって、デジタルデータの再生を行う方式である。このパーシャルレスポンス方式（ＰＲ）は、許容する符号間干渉の発生のさせ方によって、複数の特性があり複数種類の方式に分類できるが、例えばクラス１の場合、記録データ“１”に対して再生データが“１１”の２ビットデータとして得られ、後続の１ビットに対して符号間干渉を発生させるようになっている。
【０００５】
また、ビタビ復号方式（ＭＬ）は、いわゆる最尤系列推定方式の一種であって、再生波形のもつ符号間干渉の規則を有効に利用し、複数時刻にわたる信号振幅の情報に基づいてデジタルデータの再生を行う方式である。このビタビ復号方式（ＭＬ）では、記録媒体から得られる再生波形に同期した同期クロックを生成し、この同期クロックによって再生波形自身をサンプリングして振幅情報に変換し、その後、適切な波形等化を行うことによって、予め定めたパーシャルレスポンス方式の応答波形に変換する。さらに、ビタビ復号部において過去と現在のサンプルデータを用い、最も確からしいデータ系列を推定して再生データとして出力するようになっている。
【０００６】
以上のパーシャルレスポンス方式とビタビ復号方式を組み合わせる方式をＰＲＭＬ方式という。ＰＲＭＬ技術を実用化するためには、再生信号が適用されるＰＲ特性の応答となるようにする高精度の適応等化技術およびこれを支える高精度のクロック再生技術が必要とされている。
【０００７】
次に、ＰＲＭＬ技術で用いられるラン長制限符号について説明する。ＰＲＭＬ技術を採用している再生回路では、記録媒体から読み出された再生信号自身から、これに同期したクロックが生成されるが、安定したクロックを生成するため、記録されているデジタルデータ（記録信号）は予め定めた時間以内で極性が反転する必要がある。それと同時に、記録信号の最高周波数を下げるために予め定めた時間中では記録信号の極性が反転しないようにする必要がある。記録信号の極性が反転しない最大データ長を最大ラン長といい、極性が反転しない最小データ長を最小ラン長という。最大ラン長が８ビットで、最小ラン長が２ビットである変調規則を（１，７）ＲＬＬといい、最大ラン長が８ビットで、最小ラン長が３ビットである変調規則を（２，７）ＲＬＬという。光ディスクで用いられる代表的な変調・復調方式としては、（１，７）ＲＬＬや、ＥＦＭＰｌｕｓ（例えば、特許文献２参照)がある。
【０００８】
このようなＰＲＭＬ技術を採用している再生回路は、従来のスライス型の再生回路と比較して再生能力の向上が見込まれており、特にハイビジョンに対応した記録容量の大きい大容量光ディスクの１つであるＨＤ  ＤＶＤ（ＨｉｇｈＤｅｆｉｎｉｔｉｏｎ−ＤＶＤ）では、ＰＲＭＬ技術を規格として採用することによって、線記録密度を上げ大容量を実現している。
【特許文献１】特開２００１−１９５８３０号公報
【特許文献２】米国特許第５，６９６，５０５号明細書
【発明の開示】
【発明が解決しようとする課題】
【０００９】
しかしながら、上記のＰＲＭＬ技術も万能といえるものではない。ＰＲＭＬ技術は帯域方向の情報を振幅方向の情報に変換することで帯域圧縮を可能とする技術であるが、振幅方向の変動マージンが従来のスライス型の再生回路よりも狭くなるという性質を有している。すなわち、ＰＲＭＬ技術では、ＰＲ方式による波形等化後の波形を多値スライスして振幅情報を得るため、再生信号に振幅変動があったり、アシンメトリ（非対称性）が存在したり、さらには、アシンメトリや、アンプ、ＡＤＣといった各回路の電気的な要因などによるオフセット成分（オフセットともいう）がのったりしている場合には、従来のスライス方式に比べて、それらの再生品位への影響度合いが大きく、たとえビタビ復号方式による最尤復号化が行われたとしても、エラー率の悪化は避けられないという欠点がある。
【００１０】
特に、ＰＲＭＬ技術では、オフセット成分による再生品位への影響度が高いとされている。ここで、図８はＨＤ  ＤＶＤ−ＲＯＭの再生波形をＰＲ（３４４３）特性により波形等化した時の等化波形（７ｂｉｔ）のヒストグラムを示す図である。ＰＲ（３４４３）特性においては、理想振幅レベルが４レベル（この場合は０，７，２８，４９）あり、多値スライス点は７点（０、±７、±２８、±４９)となり、オフセット成分が１ＬＳＢ（Ｌｅａｓｔ  Ｓｉｇｎｉｆｉｃａｎｔ  Ｂｉｔ：最下位ビット）でも残っていた場合は、その影響が多値スライスの７点すべてのオフセットとして効いてしまう。ＰＲ（１２２２１）特性の場合は更に理想振幅レベルの個数（レベル数）が増えるため、この影響がより顕著になる。図９はＰＲ（１２２２１）特性の場合の影響を示す図である。図９には、ＨＤ  ＤＶＤ−ＲＯＭの再生波形をＰＲ（１２２２１）特性により波形等化した等化波形に対してオフセットを加えていった時のＳｂＥＲ（Ｓｉｍｕｌａｔｅｄ  ｂｉｔ  Ｅｒｒｏｒ  Ｒａｔｅ)が示されているが、これによると、この再生波形の場合には、１ＬＳＢのズレによって、ＳｂＥＲが１桁近く悪化してしまうことがわかる。
【００１１】
このように、ＰＲＭＬ方式を適用している再生回路では、オフセット成分の補正（オフセット補正）を行う補正回路に十分な精度が要求されるため、従来から、補正回路の精度をより高める工夫としてのオフセット検出方式や制御方式に関する様々な技術が提案されている。
【００１２】
一方、光ディスクにおいては、オフセット補正を行う補正回路の精度を高めて再生能力を向上させようとする要求のほかに、再生処理の高倍速化に対する要求も高まっている。高倍速化に対応するためには必然的に再生回路も高速化に対応していかねばならないが、ＰＲＭＬ方式を採用している再生回路は、その構成上、従来のスライス型の再生回路と比較して非常に複雑な回路であり、その複雑化に伴う回路規模の増大がそのまま高速化のボトルネックになっている。
【００１３】
そして、ＨＤ  ＤＶＤでは、ＳｂＥＲやＰＲＳＮＲ（Ｐａｒｔｉａｌ  Ｒｅｓｐｏｎｓｅ  Ｓｉｇｎａｌ  ｔｏ  Ｎｏｉｓｅ  Ｒａｔｉｏ)といった信号の再生品位の評価指標を測定する場合、ＡＤＣ（ＡＤ  Ｃｏｎｖｅｒｔｅｒ）を８ｂｉｔにすることを推奨しているが、高倍速化に対応していくためにはＡＤＣのｂｉｔ数（ｂｉｔ幅）を下げていくことが望ましい。
【００１４】
ところが、例えば５ｂｉｔのＡＤＣを使用して再生回路を構築するときは再生回路内部の演算も５ｂｉｔ精度で行っていく必要があり、そうするとこの場合は特にオフセット補正を行う補正回路の精度の方が問題となってくる（ＡＤＣのｂｉｔ数を下げることによる影響よりもオフセット補正の精度の方が再生品位に対する影響が高いため)。とはいえ、オフセット補正を行う補正回路の制御値がＡＤＣの１ＬＳＢ単位であり、補正回路の精度が十分とはいえないからといって、オフセット補正の精度を上げようとｂｉｔ幅の拡張等を行えば、再生回路の規模の増大を招いてしまい、これでは高倍速化の妨げとなってしまう。特に、再生信号が通過するメインのストリームパスは、ＰＲＭＬ方式の再生回路のクリティカルパスとなりやすいため、再生回路のｂｉｔ拡張等は適切な対応とは言い難い欠点がある。
【００１５】
そこで、本発明は上記課題を解決するためになされたもので、ＰＲＭＬ方式による信号処理を行う情報再生装置および情報再生方法において、信号識別能力に大きな影響を与えるオフセット補正の精度向上による再生能力の向上と、再生処理の高倍速化を両立できるようにすることを目的とする。
【課題を解決するための手段】
【００１６】
上記課題を解決するため、本発明は、記録媒体に記録されている情報を読み取り、再生信号を出力する再生信号出力手段と、ＰＲＭＬ方式による信号処理を行うＰＲＭＬ信号処理手段とを備えた情報再生装置であって、再生信号出力手段から出力される再生信号についてＡＤ変換前にオフセット補正を行うアナログオフセット補正手段と、再生信号出力手段から出力される再生信号をＡＤ変換した後のデジタル再生信号についてオフセット補正を行うデジタルオフセット補正手段と、そのデジタルオフセット補正手段により補正された後の補正後再生信号から、その補正後再生信号に含まれているオフセット制御量を検出するオフセット検出手段と、そのオフセット検出手段により検出されたオフセット制御量を示すオフセットデータを、再生信号がＡＤ変換される最下位ｂｉｔ単位以上の第１のオフセットデータと、その最下位ｂｉｔ単位よりも小さい第２のオフセットデータとに分割する分割手段とを有し、デジタルオフセット補正手段が分割手段により分割された第１のオフセットデータを用いてオフセット補正を行え、アナログオフセット補正手段が第２のオフセットデータを用いてオフセット補正を行えるように構成されている情報再生装置を提供する。
【００１７】
この情報再生装置は、検出されたオフセット制御量を示すオフセットデータをＡＤ変換の最下位ｂｉｔ単位以上の第１のオフセットデータと、最下位ｂｉｔ単位よりも小さい第２のオフセットデータとに分割し、第１のオフセットデータでデジタルオフセット補正を行い、第２のオフセットデータでアナログオフセット補正を行う。
【発明の効果】
【００１８】
以上詳述したように、本発明によれば、ＰＲＭＬ方式による信号処理を行う情報再生装置および情報再生方法において、信号識別能力に大きな影響を与えるオフセット補正の精度向上による再生能力の向上と、再生処理の高倍速化を両立できるようになる。
【発明を実施するための最良の形態】
【００１９】
以下、本発明の実施の形態について説明する。なお、同一要素には同一符号を用い、重複する説明は省略する。
【００２０】
本発明の実施の形態に係る情報再生装置１は、図１に示すように、記録媒体として光ディスクＤが用いられ、光ディスクＤに記録されているデジタルデータを再生することができるようになっている。この情報再生装置１は、光ディスクＤを保持し所定回転数で回転させる駆動機構２と、光ピックアップ等を備えたＰＵＨ(Ｐｉｃｋ  ｕｐ  ｈｅａｄ)３、プリアンプ４およびプリイコライザ５からなる再生信号出力回路６を有している。
【００２１】
ＰＵＨ３は、適切なレーザ光Ｌを光ディスクＤに照射して光ディスクＤからの反射光を検出し、微弱なアナログ信号としての再生信号ａをプリアンプ４に出力する。プリアンプ４は、ＰＵＨ３から出力される再生信号ａについて増幅等の処理を施し、十分な信号レベルにした後の再生信号ｂをプリイコライザ５に出力する。プリイコライザ５は、プリアンプ４で増幅等の処理を施された再生信号ｂに対して事前の波形等化を行い、波形等化後の再生信号ｃを出力する。
【００２２】
さらに、情報再生装置１は、アナログオフセット制御回路７、ＡＤＣ（ＡＤ  Ｃｏｎｖｅｒｔｅｒ）８、デジタルオフセット制御回路９を有し、適応等化器１０およびビタビ復号器１１を備えたＰＲＭＬ方式による信号処理を行うＰＲＭＬ信号処理回路１２と、ＰＬＬ（Ｐｈａｓｅ  Ｌｏｃｋｅｄ  Ｌｏｏｐ）回路１３およびオフセット検出器１４を有している。
【００２３】
アナログオフセット制御回路７は、プリイコライザ５から再生信号ｃが入力されるとともに、オフセット検出器１４で生成されたオフセットデータｏｄのうち、ＡＤＣ８の１ＬＳＢ精度未満の１／２ＬＳＢ精度、１／４ＬＳＢ精度・・・のオフセットデータｏｄ２がフィードバックされる。そして、アナログオフセット制御回路７はＡＤＣ８によるＡＤ変換前の再生信号ｃについて、オフセットデータｏｄ２を付加するオフセット補正（アナログオフセット補正）を行って再生信号ｄを出力する。
【００２４】
このアナログオフセット制御回路７に対して、オフセットデータｏｄのうち、１／２ＬＳＢ精度以下のオフセットデータｏｄ２のみがフィードバックされる理由は以下の１）、２）、３）に示すおりである。
【００２５】
まず、１）デジタルオフセット制御回路９だけで１／２ＬＳＢ以下の精度までオフセット補正を行うとすると、アナログオフセット制御回路７を要しないことになるが、そうすると、再生処理の高速化と再生能力向上の両立を図る上で好ましくない。また、２）アナログオフセット制御回路７は１／２ＬＳＢ以下の精度まで補正可能であるが、すべてのオフセットデータｏｄまで補正すると、今度はＡＤＣ８のダイナミックレンジから外れてしまう可能性がある(特に光ディスクＤのアシンメトリが大きい場合)。３）アナログでオフセット補正が行える回路としては、例えばＭＯＳプロセスにより作成される回路が想定されるが、一般にＭＯＳプロセスにおいてオフセット補正の制御範囲を大きくするのは困難である。
【００２６】
このような理由により、情報再生装置１では、アナログオフセット制御回路７が分割されたオフセットデータｏｄのうちのＡＤＣ８におけるＡＤ変換の最下位ｂｉｔ単位よりも小さい１／２ＬＳＢ精度以下の小さな範囲のオフセット補正を行い、デジタルオフセット制御回路９が最下位ｂｉｔ単位以上の１ＬＳＢ精度以上の大きな範囲のオフセット補正を行うようにしている。
【００２７】
次に、ＡＤＣ８は入力される再生信号ｄについて、そのレベル値をデジタル値に変換してデジタル再生信号ｅを出力する。なお、再生品位が劣化しない範囲であれば高倍速対応のためにＡＤＣ８のｂｉｔ数を下げることが可能である。例えばＢＥＲ(Ｂｙｔｅ  ｅｒｒｏｒ  ｒａｔｅ)に大きな差が出ないことがわかっていることから、６ｂｉｔ程度までならばｂｉｔ数を下げることが可能である。
【００２８】
情報再生装置１では、このＡＤＣ８の変換クロックＣＬは、サンプリングタイミングが適切となるように、再生波形自体から抽出したものとなっている。すなわち、ＰＬＬ回路１３を構成する周波数検出器２３により、再生波形から現在の再生波形の周波数と目標周波数との周波数誤差情報ｐ１を検出し、また、同じくＰＬＬ回路１３を構成する位相比較器２２により、理想サンプリング点との位相誤差情報ｐ２を検出して制御している。この制御がＰＬＬ回路１３により行われており、周波数制御および位相制御ともに、同じループフィルタ２１によって制御され、ＶＣＯ（Ｖｏｌｔａｇｅ  Ｃｏｎｔｒｏｌｌｅｄ  Ｏｓｃｉｌｌａｔｏｒｓ）２０により、ＡＤＣ８に変換クロックＣＬが供給されるように構成されている。また、周波数誤差情報ｐ１および位相誤差情報ｐ２は、ＡＤＣ８から出力されるデジタル再生信号ｅを用いて検出してもよいが、そうすると、周波数誤差情報ｐ１および位相誤差情報ｐ２とも、デジタル再生信号ｅに含まれるオフセット成分の影響を受けるため、本実施の形態に係る情報再生装置１では、デジタルオフセット制御回路９の出力（後述するデジタルデータｆ）から検出する構成としている。ただし、本発明は、このようなこの構成に限定されるものではない。
【００２９】
次に、デジタルオフセット制御回路９は、デジタル再生信号ｅについて、１ＬＳＢ精度のオフセットデータｏｄ１を付加するオフセット補正（デジタルオフセット補正）を行い、補正後再生信号としてのデジタルデータｆを出力する。このデジタルオフセット制御回路９では、アナログオフセット制御回路７において、既に１／２ＬＳＢ以下の精度でのオフセット補正が行われているため、１ＬＳＢ精度のオフセットデータｏｄ１を付加してオフセット補正を行うこととしており、このオフセット補正により、アシンメトリ成分等で生じた大幅なオフセットが補正される。
【００３０】
次に、適応等化器１０は、ビタビ復号器１１とともに本発明におけるＰＲＭＬ信号処理回路１２を構成し、デジタルオフセット制御回路９によりオフセット補正が行われたデジタルデータｆに対して、予め定められた適用されるＰＲ特性（本実施の形態における情報再生装置１では、ＰＲ（３４４３）特性が適用されるが、他の特性を適用することもできる）の応答となるように波形等化を行い、その等化波形データｇを出力する。ここで、適応等化器１０の回路構成およびその適応学習について、図２を参照して具体的に説明する。
【００３１】
図２は、適応等化器１０の回路構成の一例を示すブロック図である。なお、図２では、説明の都合上、ビタビ復号器１１の内部（図２における点線枠内)も含めている。適応等化器１０は、遅延回路２０１，２０２と、乗算器２０３，２０４，２０５と、加算回路２０６，２０７，２０８と、レジスタ２０９，２１０，２１１および係数更新回路２１２，２１３，２１４を有している。
【００３２】
遅延回路２０１，２０２は、入力信号を１クロック遅延させて出力する。乗算器２０３，２０４，２０５は、入力される二つの入力信号の積を出力する。加算回路２０６，２０７，２０８は、入力される二つの入力信号の和を出力する。なお、図２に示した適応等化器１０では、３つの乗算器２０３，２０４，２０５を用いる３ｔａｐのデジタルフィルタを示しているが、乗算器の数が変わっても基本的な動作は同じであるため、以下の説明は適応等化器１０のような３ｔａｐの適応等化器に限定されるものではない。一般に、ｔａｐ数が多くなればなるほど、等化特性は向上するが、回路規模等の制約があるため、実際には、８〜１０ｔａｐ程度が多く採用されると考えられる。
【００３３】
さて、適応等化器１０への時刻ｋにおける入力信号をＸ（ｋ）、乗算器２０３，２０４，２０５に入力される乗数をそれぞれｃ１，ｃ２，ｃ３とすると、適応等化器１０から出力される等化信号Ｙ（ｋ）は以下の式１で表される。
式１  Ｙ（ｋ）＝Ｘ（ｋ）×ｃ１＋Ｘ（ｋ−１）×ｃ２＋Ｘ（ｋ−２）×ｃ３
【００３４】
Ｙ（ｋ）に対して、ビタビ復号器１１から出力されるバイナリデータをＡ（ｋ）とする。目的とするＰＲのクラス（適用されるＰＲ特性）を例えばＰＲ（３４４３）特性とし、Ａ（ｋ）が正しい再生データであるとすると、時刻ｋにおける適応等化器１０の本来の出力信号Ｚ（ｋ）（本発明における理想信号）は以下の式２によって表される。
式２  Ｚ（ｋ）
＝３×Ａ（ｋ）＋４×Ａ（ｋ−１）＋４×Ａ（ｋ−２）＋３×Ａ（ｋ−３）−７
そこで、時刻ｋにおける等化誤差信号Ｅ（ｋ）を以下の式３で定義する。
式３  Ｅ（ｋ）＝Ｙ（ｋ）−Ｚ（ｋ）
【００３５】
適応等化器１０では、以下の式４，５，６に従い乗算器２０３，２０４，２０５のそれぞれの係数を更新することによって適応学習を行う。
式４  ｃ１（ｋ＋１）＝ｃ１（ｋ）−α×Ｘ（ｋ）×Ｅ（ｋ）
式５  ｃ２（ｋ＋１）＝ｃ２（ｋ）−α×Ｘ（ｋ−１）×Ｅ（ｋ）
式６  ｃ３（ｋ＋１）＝ｃ３（ｋ）−α×Ｘ（ｋ−２）×Ｅ（ｋ）
【００３６】
ここでαは、更新係数であり正の小さな値(例えば０．０１)に設定されている。上記式２に示した処理を行うのがビタビ復号器１１に備えられた波形合成回路２１６である。また、ビタビ復号器１１の遅延回路２１５では、加算回路２０８の等化信号Ｙ（ｋ）について、ビタビ復号器１１における処理時間相当の遅延処理が行われ、加算回路２１７において、上記式３に示した処理が行われる。係数更新回路２１２では、式４に示した演算を行って乗算器２０３の係数を更新し、更新結果をレジスタ２０９に格納させる。係数更新回路２１３では、式５に示した演算を行って乗算器２０４の係数を更新し、その更新結果をレジスタ２１０に格納させる。係数更新回路２１４では、式６に示した演算を行って乗算器２０５の係数を更新し、更新結果をレジスタ２１１に格納させる。
【００３７】
適応等化器１０では、以上のようにして適応学習が行われ、所望の等化波形が得られるようになっている。また、適応等化器１０から出力される等化波形データｇ（等化信号Ｙ（ｋ））は、ビタビ復号器１１に入力される。そして、ビタビ復号器１１は、最尤列推定(ビタビ復号)を行い、それによって最終的なバイナリデータＡ（ｋ）（復号データ）を出力する。
【００３８】
オフセット検出器１４は基本的には再生信号中のＤＣ成分の量を検出すればよいが(変調符号で十分にＤＣ抑圧されているため)、ＰＲＭＬ方式では、上記のようにゼロ点付近以外にもスライス点があるため、アシンメトリが存在する場合には等化誤差が最小になるように制御する方がエラー率を向上させることができる。
【００３９】
例えば、オフセット検出器１４は図３に示すように、積分器による１次制御としてオフセット制御量を検出する構成がよい。図３に示したオフセット検出器１４は、入力ゲイン３２と、入力信号を１クロック遅延させて出力する遅延回路３３とを有し、等化誤差信号ｈ（Ｅ（ｋ））を入力して、入力ゲイン３２（入力値をｋ倍するアンプ）により、オフセット制御の制御帯域を調整する。この入力ゲイン３２の設定を大きくすれば応答速度が速くなり、入力ゲイン３２の設定を小さくすれば応答速度が遅くなる。そして、等化誤差信号ｈのデータ値をｋ倍した積分値が検出されたオフセット制御量を示すオフセットデータｏｄ（本実施の形態では８ｂｉｔのデータとしている）となる。
【００４０】
さらに、オフセット検出器１４は本発明の特徴とする分割手段としてのｂｉｔ分割回路２４を有している。ｂｉｔ分割回路２４は、オフセットデータｏｄのｂｉｔ単位の分割（ｂｉｔ分割）を行い、本発明における第１のオフセットデータとしてのオフセットデータｏｄ１と、第２のオフセットデータとしてのオフセットデータｏｄ２とを出力する。そして、オフセットデータｏｄ１がデジタルオフセット制御回路９に入力され、オフセットデータｏｄ２がアナログオフセット制御回路７に入力されるようにして、オフセット検出器１４がデジタルオフセット制御回路９とアナログオフセット制御回路７とに接続されている。
【００４１】
こうすることによって、情報再生装置１では、デジタルオフセット制御回路９がＡＤＣ８の１ＬＳＢ精度以上を対象とするオフセット補正を行い、アナログオフセット制御回路１５が１／２ＬＳＢ精度以下を対象とするオフセット補正を行うようにしている。なお、本実施の形態では、８ｂｉｔのオフセットデータｏｄうち、上位６ｂｉｔのデータ（第１のオフセットデータ）をＡＤＣ８の１ＬＳＢ精度以上とし、下位２ｂｉｔのデータ（第２のオフセットデータ）を１／２ＬＳＢ精度以下の分解能であるとしている。
【００４２】
このように、情報再生装置１では、オフセット検出器１４に備えられたｂｉｔ分割回路２４よりオフセットデータｏｄのｂｉｔ分割を行ってＡＤＣ８によりＡＤ変換される最下位ｂｉｔ単位（１ＬＳＢ精度）以上のオフセットデータｏｄ１と、最下位ｂｉｔ単位よりも小さい（１／２ＬＳＢ精度以下）のオフセットデータｏｄ２とを出力し、アナログオフセット制御回路７がオフセットデータｏｄ２を用いて１／２ＬＳＢ精度の小さな範囲のオフセット補正を行い、デジタルオフセット制御回路９がオフセットデータｏｄ１を用いて１ＬＳＢ精度以上の大きな範囲のオフセット補正を行うようにしている。
【００４３】
これにより、情報再生装置１では、ＡＤＣ８のｂｉｔ数を例えば６ｂｉｔにまで減らして高倍速化対応を行い、それに伴いデジタルオフセット制御回路９の精度低下があるとしても、ＡＤＣ８のｂｉｔ精度以上の精度の高いオフセット補正がアナログオフセット制御回路７で行われるため、装置全体としてのオフセット補正の精度を向上させることができ、これによって再生能力を向上させることができる。しかも、この再生能力を向上は、デジタルデータを処理する回路内部におけるｂｉｔ拡張等によることなく行われるものであるため、高速化対応も実現されるようになる。
【００４４】
したがって、情報再生装置１では、上述のようなアナログオフセット制御回路７と、デジタルオフセット制御回路９の双方の特性にあったオフセット補正が行われることで、オフセット補正の精度向上による再生能力の向上と、再生処理の高倍速化を両立できるようになっている。
【００４５】
（変形例１）
上記の情報再生装置１のようなＰＲＭＬ信号処理手段を備えた情報再生装置では、適用されるＰＲ特性により、要求されるオフセット補正の精度は異なっている。例えば、上記の情報再生装置１のように、適用されるＰＲ特性がＰＲ（３４４３）特性である場合よりもＰＲ（１２２２１）である場合の方が、より高い精度を必要とする。
【００４６】
そこで、図４に示すように、オフセット検出器１４の代わりにオフセット検出器２５を設けて情報再生装置３０とすることが好ましい。オフセット検出器２５は、図５に示すように、ｂｉｔ分割回路２４に接続されたスイッチ回路２６を有し、スイッチ回路２６の動作に応じてオフセットデータｏｄが分割されるときの分割割合（第１オフセットデータｏｄ１、第２のオフセットデータｏｄ２それぞれのオフセットデータｏｄに対する比率）をｂｉｔ単位に変更するように構成されている。
【００４７】
このスイッチ回路２６は、適用されるＰＲ特性に応じてＭＰＵ（Ｍｉｃｒｏ  Ｐｒｏｃｅｓｓｉｎｇ  Ｕｎｉｔ）２７から出力されるＰＲ特性選択命令ｑに応じて作動するものであり、ｂｉｔ分割回路２４がｂｉｔ分割をする際の分割ポイント２４ａをｂｉｔ単位に変更するスイッチを有している。分割ポイント２４ａがｂｉｔ単位に変わると、第１オフセットデータｏｄ１、第２のオフセットデータｏｄ２のｂｉｔ数が変わる。
【００４８】
こうすることによって、ＡＤＣ８のダイナミックレンジが減るものの、適用されるＰＲ特性に応じたオフセット補正が行われるようになるため、オフセット補正の精度を向上させることができる。なお、この時はアナログオフセット制御回路７のオフセット制御量１ｂｉｔ当りの感度設定も同時に変更する必要があるので、図４に示すように、ＭＰＵ２７から発行されるＰＲ特性選択命令ｑは、ビタビ復号器１１のほか、アナログオフセット制御回路７にも入力されている。
【００４９】
（変形例２）
さらに、固定小数点化せず、浮動小数点化することでオフセットデータの分割割合を変更するようにしてもよい。例えば、ＭＰＵ２７が浮動小数点化するためのプログラムを実行することによってＭＰＵ２７を浮動化手段として作動させ、これによって浮動小数点化することができる。ダイナミックレンジが低い場合に、アナログオフセット制御回路７と、デジタルオフセット制御回路９のオフセット補正の精度を振り分けるなどの応用ができる。この場合は図６に示す情報再生装置３１のように、オフセット検出器１４からｂｉｔ分割情報ｒを入力してダイナミック（動的）にアナログオフセット制御回路７の感度も変更させる。
【００５０】
（変形例３）
また、オフセット検出器は、上述のオフセット検出器１４，２５のほか、図７に示すオフセット検出器２８としてもよい。オフセット検出器２８はオフセット検出器１４，２５と同様に等化誤差信号に基づいてオフセット制御量を検出するように構成されているが、このオフセット検出器２８は等化誤差信号を選択する等化誤差選択回路２９を有し、この等化誤差選択回路２９が特定の理想振幅レベルの等化誤差信号のみを入力ゲイン３２に入力するようになっている。この場合、等化誤差選択回路２９が作動することによって等化誤差信号の選択が行われ、例えば図８で示したＰＲ（３４４３）特性の理想振幅レベルのうち、±７と０の３点での等化誤差信号のみを使用してオフセット制御量が検出される。ビタビ復号では、ユークリッド距離差によって符号判定が行われるが、２Ｔなどの信号振幅が小さい信号をパスの中に含む場合はユークリッド距離が狭く、エラーになりやすい。そのため、オフセット検出器２８では、２Ｔ周辺の等化誤差に特化して２Ｔ周辺の等化誤差を小さくするように補正するようにしており、こうすることでエラー率をオフセット検出器１４よりも小さくさせ得るという効果がある。
【００５１】
さらに、オフセット検出器は等化誤差信号に基づいて、オフセット制御量を検出すればよいが、等化誤差信号はエラー率と相関関係にある。そのため、より相関性を強めるため、等化誤差信号を加工して得られるＳＡＭ（Ｓｅｑｕｅｎｃｅ  Ａｍｐｌｉｔｕｄｅ  Ｍａｒｇｉｎ）、ＳｂＥＲまたはＰＲＳＮＲといった信号評価指標を用いて、オフセット制御量を検出するようにしてもよい。
【００５２】
そして、このようなオフセット検出器を上述の本発明の２種類のオフセット制御回路（アナログオフセット制御回路７、デジタルオフセット制御回路９）と組み合わせることで、オフセット補正の精度がより高く、再生処理の高倍速化が図られた情報再生装置を実現することができる。
【００５３】
なお、上記の実施の形態では、記録媒体として光ディスクを用いる情報再生装置１，３０，３１を例にとって説明しているが、本発明は、記録媒体として光ディスクを用いる装置には限られるものではなく、ＭＲヘッドを使用した固定磁気ディスク装置についても適用可能である。上記の情報再生装置１では、ｂｉｔ分割回路２４をオフセット検出器１４に設けているが、ｂｉｔ分割回路２４はオフセット検出器１４に設けなくてもよい。
【図面の簡単な説明】
【００５４】
【図１】本発明の実施の形態に係る情報再生装置内部の回路構成を示すブロック図である。
【図２】適応等化器の回路構成の一例を示すブロック図である。
【図３】オフセット検出器の回路構成の一例を示すブロック図である。
【図４】変形例に係る情報再生装置内部の回路構成を示すブロック図である。
【図５】別のオフセット検出器の回路構成を示すブロック図である。
【図６】別の変形例に係る情報再生装置内部の回路構成を示すブロック図である。
【図７】別のオフセット検出器の回路構成の一例を示すブロック図である。
【図８】ＨＤ  ＤＶＤ−ＲＯＭの再生波形をＰＲ（３４４３）特性により波形等化した時の等化波形（７ｂｉｔ）のヒストグラムを示す図である。
【図９】ＨＤ  ＤＶＤ−ＲＯＭの再生波形をＰＲ（１２２２１）特性により波形等化した等化波形に対してオフセットを加えていった時のＳｂＥＲを示す図である。
【符号の説明】
【００５５】
１…情報再生装置、６…再生信号出力回路
７…アナログオフセット制御回路、８…ＡＤＣ
９…デジタルオフセット制御回路、１０…適応等化器
１１…ビタビ復号器、１２…ＰＲＭＬ信号処理回路
１４，２５，２８…オフセット検出器
２４…ｂｉｔ分割回路，２６…スイッチ回路
２７…ＭＰＵ
【図１】
2007200516.tif 000003
【図２】
2007200516.tif 000004
【図３】
2007200516.tif 000005
【図４】
2007200516.tif 000006
【図５】
2007200516.tif 000007
【図６】
2007200516.tif 000008
【図７】
2007200516.tif 000009
【図８】
2007200516.tif 000010
【図９】
2007200516.tif 000011